(57)【要約】  冷蔵庫および氷放出装置が開示されている。この氷放出装置は、氷送り込み開口部と氷放出開口部（３１２）とを有するケースと、放出されるべき予め決められた量の保持されている氷を搬送するための、そのケース内で回転可能である回転部材（３２０）と、定量の氷が実質的に放出されるように、その回転部材によって搬送される氷の数を調節するための、回転部材（３２０）から予め決められた距離の間隔を開けて配置されている放出調節部品（３４０）とを含む。この冷蔵庫は、この氷放出装置を中に含む。
2010507774.tif 000002
【特許請求の範囲】
【請求項１】
氷放出装置であって、
氷送り込み開口部と氷放出開口部とを有するケースと、
放出されるべき予め決められた量の保持されている氷を搬送するための、前記ケース内で回転可能である回転部材と、
定量の氷が実質的に放出されるように、前記回転部材によって搬送される氷の数を調節するための、前記回転部材から予め決められた距離の間隔を開けて配置されている放出調節部品と、
を備える氷放出装置。
【請求項２】
前記回転部材は、
動力によって回転させられる回転シャフト部分と、
氷保持空間を形成するように前記回転シャフト部分に半径方向に形成されている少なくとも１つの回転翼部分と、
を備える請求項１に記載の氷放出装置。
【請求項３】
前記回転翼部分は、他方の端部に対して湾曲している端部を有する湾曲翼部分を備える請求項２に記載の氷放出装置。
【請求項４】
前記回転翼部分は、折れ曲がり部分を有する折れ曲がり翼部分を備える請求項２に記載の氷放出装置。
【請求項５】
前記回転部材は、
動力によって回転させられる回転シャフト部分と、
前記回転シャフト部分に半径方向に形成されている少なくとも２つの直線状の翼部分
と、を備え、
さらに、氷保持空間が前記直線状の翼部分の相互間に形成されている請求項１に記載の氷放出装置。
【請求項６】
前記放出調節部品は、
予め決められた長さに前記ケースの側部に固定されている固定部分と、
上方および下方に撓むことが可能であるように前記固定部分に連結されている可とう性の調節部分と、を備え、
さらに、前記回転部材が回転させられている時に保持される氷の数が、前記可とう性調節部分によって調節される請求項１に記載の氷放出装置。
【請求項７】
前記放出調節部品は、
予め決められた長さに前記ケースの側部に固定されている固定部分と、
上方または下方に動くことが可能であるようにヒンジによって前記固定部分に連結されている調節フラップと、
前記調節フラップの上方または下方の動きに対して弾性を与えるための弾性部材と、
を備え、
さらに、前記回転部材が回転させられる時に保持される氷の数は、前記調節フラップの弾性的な動きによって調節される請求項１に記載の氷放出装置。
【請求項８】
前記ケースの中に送り込まれた氷を前記回転部材に案内するための、前記回転部材に隣接している、前記ケースの側部表面から前記ケースの底部へと傾斜しているガイドを、さらに備える請求項１から７のいずれか一項に記載の氷放出装置。
【請求項９】
前記ガイドと前記回転部材との間の空間の中に氷が放出されることを防止するための、前記回転翼部分の後部表面に備えられているリブをさらに備える請求項８に記載の氷放出装置。
【請求項１０】
氷を粉砕形状の形でまたはそのままに加工するための、前記氷放出開口部に備えられている氷加工ユニットをさらに備える請求項８に記載の氷放出装置。
【請求項１１】
前記氷加工ユニットは、
前記氷放出開口部に備えられているハウジングと、
氷を外部に放出するための、前記ハウジングの下部端部に形成されている氷出口と、
前記ハウジング内で回転可能なシャフトと、
前記シャフトと前記ハウジングとに固定されている少なくとも１つの固定ブレードと、
前記固定ブレードとの相互作用によって前記氷を加工するための、前記シャフトによって回転させられる回転ブレードと、
を備える請求項１０に記載の氷放出装置。
【請求項１２】
前記ケースの内側または外側に取り付けられているモータと、
前記モータからの動力を受け取るために前記回転部材または前記シャフトのどちらか一方に連結されている、前記モータに連結されている駆動歯車と、
前記駆動歯車に係合した形で回転するように、前記回転部材と前記シャフトのどちらか他方に連結されている被駆動歯車
と、を備え、
前記回転部材と前記氷加工ユニットは前記単一のモータの制御によって制御される請求項１１に記載の氷放出装置。
【請求項１３】
冷蔵庫であって、
冷凍庫区画を中に有する本体と、
前記冷凍庫区画を開閉するためのドアと、
氷を作るための、前記冷凍庫と前記ドアのどちらか一方の中に取り付けられている製氷機と、
送り込まれた氷を中に貯蔵するためのケースを備える氷放出装置と、
放出されるべき予め決められた量の保持されている氷を搬送するための、前記ケース内で回転可能である回転部材、および、定量の氷が実質的に放出されるように、前記回転部材によって搬送される氷の数を調節するための、前記回転部材から予め決められた距離の間隔を開けて配置されている放出調節部品と、
前記氷放出装置から放出された氷を前記ドアの外側に定量供給するためのディスペンサ
と、
を備える冷蔵庫。
【発明の詳細な説明】
【技術分野】
【０００１】
本発明は、冷蔵庫と、冷蔵庫内に備えられている氷放出装置とに関する。さらに特に、本発明は、冷蔵庫と、改良された氷搬送構造によって氷を定量放出するための、冷蔵庫内に備えられている氷放出装置とに関する。
【背景技術】
【０００２】
冷蔵庫は、涼気または冷気を供給するための冷却サイクルを構成する蒸発器と熱交換器とによって冷蔵区画内または冷凍区画内において食品を冷却または冷凍する電気器具である。
【０００３】
低温度で食品を保存するという機能ではなく、こうした冷蔵庫は、冷凍区画に供給される水凍結温度よりも低い温度の空気を使用することによって、氷を作ることが可能である。氷は、そのままの角氷状態また粉砕状態で定量供給されるだろう。
【０００４】
この氷定量供給機能は、冷凍区画の冷気に曝される製氷機と氷放出装置とによって行われる。この製氷機は冷凍区画の冷気を使用することによって氷を作り、および、氷放出装置は、製氷機によって作られた氷が選択的に角氷形状または粉砕形状で放出されることを可能にする。
【０００５】
図１は、従来の氷放出装置を示す説明図である。図１に示されているように、従来の氷放出装置は、ケース１０と、氷粉砕ユニット３０と、モータ２１と、シャフト２２と、搬送部材２３とを含む。製氷機（図示されていない）によって供給される氷がケース１０内に保持される。氷粉砕ユニット２０は、ケース１０の氷を角氷形状または粉砕形状で放出する。モータ２１は氷粉砕ユニット３０を駆動し、および、搬送部材２３は、ケース１０の氷を氷粉砕ユニット３０に搬送するためにシャフト２２上に形成されている。搬送部材２３は、予め決められた断面を有する螺旋状の翼を有し、および、シャフト２２の周縁部に沿って形成されている。
【０００６】
氷送り込み開口部１１がケース１０の上部部分に備えられており、および、氷は、製氷機（図示されていない）から開口部１１を通してケース１０内に送り込まれる。氷放出開口部１２がケース１０の下部部分に備えられており、および、氷がケース１０の外側に氷放出開口部１２を通して放出される。
【０００７】
このような従来の氷放出装置では、氷送り込み開口部１１を通して送り込まれる氷は、シャフト２２の回転と共に回転する搬送手段２３によって氷放出開口部１２に向けて搬送される。この結果として、氷はそのまま（この場合には、角氷の形状で）放出されるか、または、その氷が粉砕ユニット３０によって粉砕されて（この場合には、粉砕氷形状で）放出されるだろう。
【０００８】
図２と図３は、それぞれに、角氷または粉砕氷を放出する場合を示す従来通りの氷放出装置の正面図である。
【０００９】
図２に示されているように、ユーザが氷放出装置からの粉砕氷を望む場合には、ケース１０内の氷は、搬送部材２３（図１を参照されたい）によって氷放出開口部１２に搬送され、および、この時に、氷放出開口部１２の一部分または全部を閉鎖することが可能なシャッタ３３が、氷放出開口部１２の一部分を閉じるためにシャッタ駆動ユニット３４によって作動させられる。
【００１０】
したがって、搬送された氷は氷放出開口部１２を通して放出されず、および、氷粉砕ユニット３０の回転ブレード３２が、固定ブレード３１に向けて氷を移動させるように時計回り方向に回転する。したがって、氷は固定ブレード３１と回転ブレード３２との間の相互作用によって粉砕され、および、この粉砕された氷は氷放出開口部１２を通して放出される。
【００１１】
他方では、図３に示されているように、ユーザが従来通りの氷放出装置からの角氷を望む場合に、ケース１０の内側の氷が氷放出開口部１２に搬送され、および、シャッタ駆動ユニット３４は、氷放出開口部１２を完全に開くようにシャッタ３３を駆動する。したがって、回転ブレード３２は、そのブレード無し部分で氷を押すように反時計回り方向に回転し、および、したがって角氷は氷放出開口部１２を通して放出される。
【００１２】
しかし、放出される氷の量が定まってはおらず、すなわち、一定不変ではなく、および、したがって、搬送部材と氷とによって押し出される氷がシャッタの開閉によって放出されるので、ユーザが氷を定量供給しようとする時に多量の氷が一度に放出されることがある。
【００１３】
さらに、従来の氷放出装置では、押し出される氷の量が一定不変ではない。多量の氷が一度に押し出される場合には、氷放出開口部におけるボトルネック状態のために、その氷は円滑には放出されないことがあり、および、氷粉砕ユニットの動作的故障が生じる可能性がある。これに加えて、氷放出装置の不調が、氷放出装置の作動ユニット上の過剰に大きい荷重によって引き起こされることもある。
【発明の概要】
【発明が解決しようとする課題】
【００１４】
これらの問題を解決するために、本発明の目的が、冷蔵庫と氷放出装置とを提供することである。
【課題を解決するための手段】
【００１５】
これらの目的と他の利点とを実現するために、および、本明細書で具体化されておりかつ概略的に説明されている本発明の目的にしたがって、氷放出装置は、氷送り込み開口部と氷放出開口部とを有するケースと、放出されるべき予め決められた量の保持されている氷を搬送するための、そのケース内で回転可能である回転部材と、定量の氷が実質的に放出されるように、その回転部材によって搬送される氷の数を調節するための、回転部材から予め決められた距離の間隔を開けて配置されている放出調節部品とを含む。
【００１６】
回転部材は、動力によって回転させられる回転シャフト部分と、氷保持空間を形成するように回転シャフト部分に半径方向に形成されている少なくとも１つの回転翼部分とを含む。
【００１７】
回転翼部分は、他方の端部に対して湾曲している端部を有する湾曲翼部分を含む。
【００１８】
回転翼部分は、折れ曲がり部分を有する折れ曲がり翼部分を含む。
【００１９】
回転部材は、動力によって回転させられる回転シャフト部分と、この回転シャフト部分に半径方向に形成されている少なくとも２つの直線状の翼部分とを含む。氷保持空間がこれらの直線状の翼部分の相互間に形成されている。
【００２０】
放出調節部品は、予め決められた長さにケースの側部に固定されている固定部分と、上方および下方に撓むことが可能であるように固定部分に連結されている可とう性の調節部分とを含む。回転部材が回転させられている時に保持される氷の数が、この可とう性調節部分によって調節される。
【００２１】
放出調節部品は、予め決められた長さにケースの側部に固定されている固定部分と、上方または下方に動くことが可能であるようにヒンジによってその固定部分に連結されている調節フラップと、その調節フラップの上方または下方の動きに対する弾性を与えるための弾性部材とを含む。回転部材が回転させられる時に保持される氷の数は、調節フラップの弾性的な動きによって調節される。
【００２２】
氷放出装置は、さらに、ケースの中に送り込まれた氷を回転部材に案内するための、回転部材に隣接している、ケースの側部表面からそのケースの底部へと傾斜しているガイドを含む。
【００２３】
氷放出装置は、さらに、ガイドと回転部材との間の空間の中に氷が放出されることを防止するための、回転翼部分の後部表面に備えられているリブを含む。
【００２４】
氷放出装置は、さらに、氷を粉砕形状の形でまたはそのままで加工するための、氷放出開口部に備えられている氷加工ユニットを含む。
【００２５】
この氷加工ユニットは、氷放出開口部に備えられているハウジングと、氷を外部に放出するための、ハウジングの下部端部に形成されている氷出口と、ハウジング内で回転可能なシャフトと、このシャフトとハウジングとに固定されている少なくとも１つの固定ブレードと、固定ブレードとの相互作用によって氷を加工するための、そのシャフトによって回転させられる回転ブレードとを含む。
【００２６】
氷放出装置は、ケースの内側または外側に取り付けられているモータと、そのモータからの動力を受け取るために回転部材とシャフトとのどちらか一方に連結されている、そのモータに連結されている駆動歯車と、この駆動歯車に係合した形で回転するように、回転部材とシャフトとのどちらか他方に連結されている被駆動歯車とを含む。
【００２７】
別の側面では、冷蔵庫が、冷凍庫区画を中に有する本体と、この冷凍庫区画を開閉するためのドアと、氷を作るための、冷凍庫とドアとのどちらか一方の中に取り付けられている製氷機と、送り込まれた氷を中に貯蔵するためのケースを備える氷放出装置と、放出されるべき予め決められた量の保持されている氷を搬送するための、ケース内で回転可能である回転部材と、定量の氷が実質的に放出されるように、回転部材によって搬送される氷の数を調節するための、回転部材から予め決められた距離の間隔を開けて配置されている放出調節部品と、氷放出装置から放出された氷をドアの外側に定量供給するためのディスペンサとを含む。
【発明の効果】
【００２８】
本発明は、次の有利な効果を有する。
【００２９】
この冷蔵庫と氷放出装置とによって、定量の氷が実質的に放出されるが、一度には放出されない。この結果として、製品の信頼性が強化され、かつ、製品の故障または不調が防止されるだろう。
【図面の簡単な説明】
【００３０】
【図１】従来の氷放出装置の説明図である。
【図２】粉砕氷を放出する場合を示す正面図である。
【図３】角氷を放出する場合を示す正面図である。
【図４】本発明による氷放出装置の前部を示す斜視図である。
【図５】本発明による氷放出装置の作動部品を示す分解組立斜視図である。
【図６】本発明による氷放出装置の例示的な実施形態を示す説明図である。
【図７】本発明による氷放出装置の例示的な実施形態を示す説明図である。
【図８】本発明による氷放出装置の例示的な実施形態を示す説明図である。
【図９】本発明による氷放出装置の例示的な実施形態を示す説明図である。
【図１０】本発明の別の例示的な実施形態による氷放出装置の動作を示す説明図である。
【図１１】本発明の別の例示的な実施形態による氷放出装置の動作を示す説明図である。
【図１２】本発明の別の例示的な実施形態による氷放出装置の動作を示す説明図である。
【図１３】本発明の別の例示的な実施形態による氷放出装置の動作を示す説明図である。
【図１４】本発明による冷蔵庫を示す説明図である。
【発明を実施するための形態】
【００３１】
開示内容のさらに詳細な理解を可能にするために含まれており、および、本出願に組み入れられておりかつ本出願の一部分を構成している添付図面が、開示内容の実施形態を図解し、および、説明と共に、開示内容の原理を説明する役割を果たす。
【００３２】
以下では、本発明の特定の実施形態を詳細に説明するが、この実施形態の具体例が添付図面に示されている。可能な場合は常に、同一または類似の部品を示すために、同一の照合番号がすべての図面において使用されるだろう。
【００３３】
図４は、本発明による氷放出装置の前部を示す斜視図であり、図５は、本発明による氷放出装置の作動部品を示す分解組立斜視図であり、および、図６から図９は、本発明による氷放出装置の例示的な実施形態をそれぞれに示す。
【００３４】
図１０から図１３は、本発明の別の例示的な実施形態による氷放出装置の動作を示す説明図であり、および、図１４は、本発明による冷蔵庫を示す説明図である。
【００３５】
本発明の氷放出装置は、自動販売機と浄水機と冷蔵庫とのような氷放出構造を有するすべての種類の電気器具に適用可能だろう。本明細書では、冷蔵庫に適用される氷放出装置に関して説明する。
【００３６】
図１４に示されているように、本発明による冷蔵庫は、本体１００と、冷凍室区画１０１と、ドア１１０と、製氷機２００と、氷放出装置３００と、ディスペンサとを含む。冷凍庫区画１０１は本体１００内に備えられている。ドア１１０は冷凍庫区画１０１を開閉する。製氷機２００と氷放出装置３００とディスペンサ２０１は氷を放出するようになっており、および、ドア１１０の内側表面、または、冷凍庫区画１０１の予め決められた部分の中に備えられている。
【００３７】
製氷機２００と氷放出装置３００とディスペンサ２０１とがドア１１０または冷凍庫区画１０１に備えられているが、ユーザは、ドア１１０が閉じられている状態で氷を供給されなければならない。したがって、ディスペンサ２０１は外部と連通していなけばならない。
【００３８】
図４から図１３は、冷蔵庫に適用される氷放出装置をさらに詳細に図解する。図４に示されているように、氷放出装置３００は、ケース３１０と、回転部材３２０と、放出調節部品３４０とを含む。ケース３１０は、製氷機２００によって供給される氷を保持するための予め決められた空間を画定する。回転部材３２０は、ケース３１０に供給される予め決められた量の氷を氷放出開口部３１２に向けて搬送するために回転する。回転部材２３０に隣接している放出調節部品３４０は、氷が定量放出されるように回転部材３２０が氷の量を調節することを可能にする。
【００３９】
ケース３１０の上部部分が開かれ、および、製氷機２００によって供給される氷がケース３１０の中に送り込まれる。氷放出開口部３１２は、ケース３１０の下部部分の開放部分に形成されている。
【００４０】
氷放出装置は、さらに、ケース３１０内において放出調節部品３４０に対して反対側の位置に形成されているガイド３３０を含み、このガイド３３０は、氷放出開口部３１２に対してケース３１０の内側側部表面から予め決められた角度に傾斜している。このガイド３３０は、回転部材３２０へ移動するように製氷機２００の氷を案内する。
【００４１】
氷加工ユニット３５０が氷放出開口部３１２の下方に備えられており、および、この氷加工ユニット３５０は、ハウジング３５１と、氷出口３５２と、シャフト３５３と、固定ブレード３５４と、回転ブレード３５５とを含む。ハウジング３５１は氷放出開口部３１２の上を覆う。シャフト３５３はハウジング３５１内を回転可能である。固定ブレード３５４はシャフト３５３上に固定されており、回転ブレード３５５はシャフト３５３上で回転する。
【００４２】
回転部材３２０が氷を氷放出開口部３１２に搬送すると、この氷は氷加工ユニット３５０によって角氷または粉砕氷に加工され、および、この角氷または粉砕氷は放出されることが可能である。
【００４３】
図５を参照して、回転部材３２０とシャフト３５３との回転に関して説明する。
【００４４】
図５に示されているように、本発明による氷放出装置の動作ユニット３６０は、モータ３６１と、駆動歯車３６２と、被駆動歯車３６３とを含む。駆動歯車３６２は、モータ３６１と共に回転するようにモータ３６１のモータシャフト３６１ａに連結されている。被駆動歯車３６３は、駆動歯車３６２と共に回転するように駆動歯車３６２に係合させられている。
【００４５】
氷加工ユニット３５０のシャフト３５３、または、回転部材３２０の回転シャフト部分のどちらか一方が、駆動歯車３６２に連結されており、かつ、この２つのものの他方が被駆動歯車３６３に連結されている。
【００４６】
この結果として、氷加工ユニット３５０と回転部材３２０は、モータ３６１の単一の動作によって同時に制御されるだろう。
【００４７】
回転部材３２０の回転シャフト部分３２１と氷加工ユニット３５０のシャフト３５３の両方の回転速度は、駆動歯車３６２および被駆動歯車３６３のサイズすなわち歯の数にしたがって制御されるだろう。例えば、駆動歯車よりも大きい被駆動歯車（駆動歯車よりも多い歯を有する被駆動歯車）が使用される場合には、その被駆動歯車は駆動歯車よりも低速で回転する。
【００４８】
図５に示されているように、駆動歯車３６２および被駆動歯車３６３がモータ３６１の駆動力を伝達するための手段として使用されるが、動力を伝達するためには、駆動プーリ、被駆動プーリ、および、駆動プーリと被駆動プーリとを連結する動力伝達ベルトを使用することが可能である。
【００４９】
図６から図９を参照しながら、本発明による氷放出装置の例示的な実施形態を説明する。図６から図９に示されている各実施形態による氷放出装置は、氷送り込み開口部３１１と氷放出開口部３１２とを有するケース３１０と、放出調節部品３４０と、ガイド３３０と、氷加工ユニット３５０という同一の要素を有し、これらは図４に示されている実施形態と同一であり、したがって、これらの詳細な説明は回転部材３２０を除いて省略される。
【００５０】
図６に示されている実施形態では、回転部材３２０は、モータ３６１（図５を参照されたい）の動力によって回転させられる回転シャフト部分３２１と、この回転シャフト部分３２１から延びているかこの回転シャフト部分に連結されている少なくとも１つの回転翼部分３２２とを含む。図６では、湾曲翼部分３２２ａが、この回転翼部分の一例として形成されている。
【００５１】
湾曲翼部分３２２ａは円弧形に湾曲しており、すなわち、緩やかに湾曲しており、および、氷保持空間（Ｓ）がこの湾曲部分の内側空間内に形成されている。ガイド３３０によって案内されるので、氷保持空間（Ｓ）は予め決められた量の搬送氷を保持し、および、その氷を搬送するために回転シャフト部分３２１によって回転させられる。
【００５２】
この場合に、湾曲翼部分３２２ａが回転させられる時に氷保持空間（Ｓ）内に保持されている氷は、放出調節部品３４０と接触させられ、および、この放出調節部品３４０は、氷の量を調節するために、氷保持空間内に保持されていない氷を排除し、これについては後述する。
【００５３】
図７は別の例示的な実施形態を示す。図７に示されている回転部材３２０も、図６の実施形態と同様に、回転シャフト部分３２１と湾曲翼部分３２２ａとを含む。しかし、図７の実施形態は、反対側の表面の点線に対して垂直であるように、予め決められた長さに反対側の表面から氷保持空間（Ｓ）を有する表面へと延びる少なくとも１つのリブ（Ｒ）を含む。
【００５４】
リブ（Ｒ）は、湾曲翼部分３２２ａがガイド３３０に到着する前に、湾曲翼部分３２２ａが回転させられてガイド３３０を通過する時に、回転部材３２０とガイド３３０との間に形成されている空間の中に氷が放出されることを防止する。
【００５５】
リブ（Ｒ）は硬質材料で形成されるだろうし、および、このリブ（Ｒ）がガイド３３０または放出調節部品３４０に衝突する時に可とう性であるように可とう性材料で形成されていることが好ましい。
【００５６】
リブ（Ｒ）は、湾曲翼部分だけでなく、折れ曲がり翼部分と直線状の翼部分とを含む実施形態のすべてに適用可能であり、これに関しては後述する。
【００５７】
図８に示されている回転部材３２０は、回転シャフト部分３２１と、この回転シャフト部分３２１によって回転させられる少なくとも１つの折れ曲がり翼部分３２２ｂとを含む。
【００５８】
折れ曲がり翼部分３２２Ｂは折れ曲がっており、および、氷保持空間（Ｓ）は、この折れ曲がり部分によって形成されている内側空間の中に形成されている。氷保持空間（Ｓ）は、予め決められた量の搬送氷を保持するようにガイド３３０によって案内され、および、回転シャフト部分３２１によって回転させられるにつれてその氷を搬送する。
【００５９】
図９に示されている実施形態の回転部材３２０は、回転シャフト部分３２１によって回転させられる直線状の翼部分３２１ｃを含む。この直線状の翼部分３２１ｃは直線状に形成されており、および、少なくとも２つの直線状の翼部分３２２ｃが、ガイド３３０によって案内された予め決められた量の氷を保持するための氷保持空間（Ｓ）を形成する。
【００６０】
図１０から図１３を参照して、氷放出装置の放出調節部品３４０と、この氷放出装置の動作とを説明する。図１０から図１３に示されている各々の実施形態は、回転翼部分３２２の一例としての湾曲翼部分３２２ａと、リブ（Ｒ）とを示す。この場合に、折れ曲がり翼部分と直線状の翼部分とが適用可能だろう。
【００６１】
図１０から図１３に示されている本発明の各実施形態による氷放出装置は、図４から図９と同様に、さらに、氷送り込み開口部３１１と氷放出開口部３１２とを有するケース３１０と、回転部材３２０と、ガイド３３０と、氷加工ユニット３５０とを含む。したがって、これらの同一の要素の詳細な説明を省略するが、放出調節部品３４０については説明する。
【００６２】
図１０および図１１に示されている実施形態では、放出調節部品３４０は、固定部分３４１と、可とう性調節部分３４２とを含む。この固定部分３４１は、予め決められた長さにケース３１０の内側側部表面に斜めに固定されている。可とう性調節部分３４２は上方および下方に動くことが可能であり、固定部分３４１から放出調節部品３４０の末端に弾性を有する。この可とう性調節部分３４１は回転翼部分３２２に隣接している。
【００６３】
可とう性調節部分３４２は、１つの本体として固定部分３４１から延びていてもよく、または、固定部分３４１に連結されるように別個に形成されていてもよい。
【００６４】
図１０および図１１に示されている氷放出装置の動作を説明する。
【００６５】
製氷機によってケース３１０の中に氷が送り込まれる場合には、その氷はガイド３３０に沿って搬送され、および、予め決められた量の氷が回転翼部分３２２の氷保持空間（Ｓ）内に保持される。
【００６６】
回転シャフト部分３２１が反時計回り方向に回転させられるにつれて、氷保持空間（Ｓ）内に保持されている氷も、反時計回り方向に回転させられる。この時点で、回転翼部分３２２に隣接している可とう性調節部分３４２は、保持されている氷に接触させられ、および、この氷の数を調節するために上方および下方に動き、このことが実質的に定量の氷を放出することを結果的に生じさせる。
【００６７】
図１０は、氷に接触させられている可とう性調節部分３４２が氷の量を調節するために上方に移動することを示し、および、図１１は、氷に接触させられている可とう性調節部分３４２が氷の量を調節するために下方に移動することを示す。
【００６８】
氷の量を調節するために回転部材が反対方向に回転させられることが可能である。明確に述べると、図１０および図１１に示されているように、回転シャフト部分３２１が時計回り方向に回転させられる場合には、回転翼部分３２２は、氷の量を調節するために、ガイド３３０に沿って氷排出開口部３１２に向かって氷が移動することを制限する。
【００６９】
一方では、図１２および図１３に示されている実施形態とその動作とを説明する。図１２および図１３に示されているように、放出調節部品３４０は、固定部分３４１と調節フラップ３４３とを含む。固定部分３４１は、予め決められた長さにケース３１０の内側表面に対して斜めに固定されている。調節フラップ３４３は固定部分３４１の末端に回転自在に連結されている。
【００７０】
調節フラップ３４３はヒンジ３４５によって固定部分３４１に回転自在に連結されており、および、その調節フラップ３４３の動きに弾性を与えるためのばね３４４を含む。
【００７１】
ばね３４４の端部は固定部分３４１に固定されており、かつ、他方の端部は、調節フラップ３４３の動きによって弾性復元を生じさせるように調節フラップ３４３に固定されている。この結果として、調節フラップ３４３は弾性的に上方および下方に動くことが可能である。
【００７２】
図１２と図１３とを参照して、調節フラップ３４３による放出調節部品３４０を有する氷放出装置の動作を説明する。製氷機によって氷がケース３１０内に送り込まれる場合に、その氷はガイド３３０に沿って搬送され、および、予め決められた量の氷が、回転部材の回転翼部分３２２の氷保持空間（Ｓ）内に保持される。
【００７３】
回転シャフト部分３２１が反時計回り方向に回転させられるにつれて、氷保持空間（Ｓ）内に保持されている氷も、反時計回り方向に回転させられる。この時点で、回転翼部分３２２に隣接している放出調節部品３４０の調節フラップ３４３は、保持されている氷に接触させられ、および、この調節フラップ３４３はこの氷の量を調節するために上方および下方に動き、このことが実質的に定量の氷を放出することを結果的に生じさせる。
【００７４】
図１２は、氷に接触させられている調節フラップ３４３が氷の数を調節するために下方に動くことを示し、および、図１３は、氷に接触させられている調節フラップ３４３が氷の数を調節するために上方に動くことを示す。
【００７５】
回転部材が反対方向に回転させられる時に氷の数を調節できることも可能である。明確に述べると、図１２および図１３に示されているように、回転シャフト部分３２１が時計回り方向に回転させられる場合には、回転翼部分３２２は、氷の量を調節するために、ガイド３３０に沿って氷排出開口部３１２に向かって氷が移動することを制限する。
【００７６】
図１１から図１３を参照すると、実質的に定量である氷が、氷放出装置の動作によって氷放出開口部３１２に搬送される場合に、氷排出開口部３１２の下方に備えられている氷加工ユニット３５０は、氷がそのままの形態または粉砕形態で放出されるように氷を加工する。
【００７７】
本発明の着想または範囲からの逸脱なしに、本発明において様々な変更と変形とが行われることが可能であるということが、当業者に明らかだろう。したがって、本発明が、添付されている特許請求項およびその等価物の範囲内に本発明の変更および変形がある限り、本発明のこうした変更および変形を範囲内に含むということが意図されている。
【産業上の利用可能性】
【００７８】
本発明は産業上の利用可能性を有する。
【００７９】
この冷蔵庫と氷放出装置とによって、定量の氷が実質的に放出されるが、一度には放出されない。この結果として、製品の信頼性が強化されるだろうし、および、製品の故障または不調が防止されるだろう。
【図１】
2010507774.tif 000003
【図２】
2010507774.tif 000004
【図３】
2010507774.tif 000005
【図４】
2010507774.tif 000006
【図５】
2010507774.tif 000007
【図６】
2010507774.tif 000008
【図７】
2010507774.tif 000009
【図８】
2010507774.tif 000010
【図９】
2010507774.tif 000011
【図１０】
2010507774.tif 000012
【図１１】
2010507774.tif 000013
【図１２】
2010507774.tif 000014
【図１３】
2010507774.tif 000015
【図１４】
2010507774.tif 000016
【国際調査報告】
2010507774.tif 000017
2010507774.tif 000018
2010507774.tif 000019
2010507774.tif 000020